Podtech/llm-jp-corpus-v4-ja_patent huggingface dataset:
(57)【要約】      （修正有）【課題】  高温で使用したり、処理品が重くても投入パイプ及び出口パイプとキルンとの連結部が折れにくく、両壁部に応力が掛かって変形することのないキルンを提供する。【解決手段】キルン１の胴体を入口、出口両側に延長し、その両側にタイヤ１２を設け、回転用のスプロケット１０を取り付ける。こうする事により、両側に応力が掛からなくなり、また入口パイプ２、出口パイプ２とキルン１との連結部が折れなくなる。【選択図】  図１
2005147645.tif 000002
【特許請求の範囲】
【請求項１】
出願人の取得済み特許第３０６２７９９号「ロータリーキルンの内容物取出し方法」のキルン１の胴体を両側に延長し、そこに図１のように２個のタイヤ１２及び回転用のスプケット１０を組付けた「ストレートキルンの内容物取出し方法」。
【発明の詳細な説明】
【発明の詳細な説明】
【技術分野】
【０００１】  本発明は、出願人の取得済み特許第３０６２７９９号「ロータリーキルンの内容物取出し方法」に関するものである。
【背景技術】
【０００２】  従来の「ロータリーキルンの内容物取出し方法」では、キルンに比べ構造上、投入パイプと出口パイプが小さくなっている。
【発明の解決しようとする課題】
【０００３】  そのため高温で使用したり、処理品が重過ぎると投入パイプ及び出口パイプとキルンとの連結部が折れやすい。又キルンの両壁部に応力が掛かり変形する。
【課題を解決するための手段】
【０００４】  そこで本発明では、キルンの胴体を入口、出口両側に延長し、その両側にタイヤを設け、回転用のスプロケットを取り付ける。
【０００５】  こうする事により、両壁に応力が掛からなくなり、又入口パイプ、出口パイプとキルンとの連結部の折れがなくなる。
【発明を実施するための最良の形態】
【０００６】  発明の実施の形態を図面に基づいて説明する。
図１、図２、において、架台７に２個の軸受け１３にセットした４セットの受けローラー１４を組付ける。【０００７】  円筒状のキルン１の中に入口壁１８、投入パイプ２、出口壁１９、出口パイプ３、キャップ４、樋５、を取り付け、２個のタイヤ１２及び回転用のスプロケットを組付ける。【０００８】  このように構成されたキルン１を前述の受けローラー１４の上に乗せ、架台７に固定された減速機８とローラーチェン１１にて連結する。
【発明の効果】
【０００９】  荷重はキルンの胴体で受ける構造になっているので、高温及び、重い処理品に対しての使用が可能となる。
【００１０】  又、入口壁１８、出口壁１９が固定されず熱による伸びがフリーな状態となるので高温時の荷重による歪みなどが少なくなる。尚、入口壁１８、出口壁１９は漏斗のように横から見ると台形にすると熱変形が起きにくくなる。
【図面の簡単な説明】
【図１】  「ストレートキルンの内容物取出し方法」の側面断面図である。
【図２】  「ストレートキルンの内容物取出し方法」のＡ−Ａを表わす正面図である。
【符号の説明】
１  キルン
２  投入パイプ
３  出口パイプ
４  キャップ
５  樋
６  粉体
７  架台
８  減速機
９  モーター
１０  スプロケット
１１  ローラーチェン
１２  タイヤ
１３  軸受け
１４  受けローラー
１５  調整ボルト
１６  水平据え付け面
１７  出口穴
１８  入口壁
１９  出口壁
【図１】
2005147645.tif 000003
【図２】
2005147645.tif 000004
(57)【要約】      （修正有）【課題】従来一般的に配置されている冷暖房機器スペースの有効活用と建物内部の温度差を少なくする事を目的とする。【解決手段】各階の床下全体へ液体循環用パイプ１を等間隔に設けて、夏期は冷水、冬季は温水をポンプで循環させて解決の手段とする。この発明を用いれば、居室等へ一般的に配置されている冷暖房機器スペースを必要としなくなる事から、冷暖房機器スペースの有効活用ができ、また、建物内部の温度差を少なくする事ができる。【選択図】  図１
2005147642.tif 000002
【特許請求の範囲】
【請求項１】
各階の床下全体に液体循環用パイプを設けて、冷水及び温水を循環させる構造の住宅等及び建物。
【発明の詳細な説明】
【発明の詳細な説明】
【技術分野】
【００１】この発明は、各階の床下へ等間隔に液体循環用パイプを設け、冷水及び温水を循環させ、住宅等及び建物の冷暖房を行うものである。
【背景技術】
【００２】従来は、各階を床下で冷暖房する構造の住宅等及び建物はなかった。
【発明を実施するための最良の形態】
【００３】この発明は、住宅等及び建物の各階の床下へ、液体循環用パイプ１を等間隔に設けて、夏期は冷水、冬期は温水をポンプで循環させて、冷暖房を行う構造の住宅等及び建物である。
【発明の効果】
【００４】この発明を用いれば、居室等の部分々へ、一般的に配置されている冷暖房機器スペースを必要としなくなる事から、同スペースの有効活用が出来、また、建物の箇所々の温度差を少なくする事が出来る。
【図面の簡単な説明】
【図面】
本発明の設置実施例を示す建物の断面図である。
【図１】
2005147642.tif 000003